(57)【要約】【課題】被綴じ材を綴じ合わせることができる使用状態と、収納や携帯に有利な収納状態とを容易に切り替えることができ、且つ誤操作を防止することができるステープラーを提供する。【解決手段】被綴じ材を綴じ合わせることができる使用状態と、収納や携帯に有利な収納状態とを切り替え可能なステープラー１０であって、最前列に位置する針をベース体６０の側へと押圧するための押刃部１８０と、摺動体１４０及び押刃部１８０を前後方向に摺動させることにより、押刃部１８０が綴り針収納部１００の前板よりも後方に位置する使用状態と、押刃部１８０が綴り針収納部１００の前板よりも前方に位置する収納状態とを切り替え可能なスイッチ部２００とを備え、スイッチ部２００は、被綴じ材を綴じる際に押圧されるハンドル体２０の押圧部よりも後方に位置するように摺動体１４０に配設される。【選択図】図１
2018001286.tif 000002
【特許請求の範囲】
【請求項１】
被綴じ材を綴じ合わせることができる使用状態と、収納や携帯に有利な収納状態とを切り替え可能なステープラーであって、
長手方向を有するベース体と、
長手方向を有し且つその後端部が前記ベース体の後端部に長手方向と厚さ方向の交わる平面において回動可能に取り付けられるハンドル体と、
長手方向を有し、その後端部が前記ベース体の後端部に長手方向と厚さ方向の交わる平面において回動可能に取り付けられ、且つ綴り針を収納するための中空部分を含む綴り針収納部と、
長手方向を有し、且つ前記ハンドル体の内面において前後方向に摺動可能に取り付けられる摺動体と、
前記摺動体の前端部分から突出するように形成され、前記綴り針収納部に収納された綴り針のうち最前列に位置する針を前記ベース体の側へと押圧するための押刃部と、
前後方向に摺動可能であり、その前後方向の摺動に連動させて、前記摺動体及び前記押刃部を前後方向に摺動させることにより、前記押刃部が前記綴り針収納部の前板よりも後方に位置する使用状態と、前記押刃部が前記綴り針収納部の前板よりも前方に位置すると共に前記ベース体と前記ハンドル体が厚さ方向において互いに重なり合う状態を維持される収納状態とを切り替え可能なスイッチ部とを備え、
前記スイッチ部は、前記被綴じ材を綴じる際に押圧される前記ハンドル体の押圧部よりも後方に位置するように前記摺動体に配設されることを特徴とする、ステープラー。
【請求項２】
前記スイッチ部は、前記ハンドル体の後端部又はその近傍に配設される、請求項１に記載のステープラー。
【請求項３】
前記ハンドル体は、その天板の前記押圧部よりも後方部分が切り欠かれることにより形成された天板切欠き部を含み、
前記スイッチ部は、平面視したとき、その少なくとも一部が前記天板切欠き部の内部又は近傍に形成され、且つその上面が前記ハンドル体の天板の上面と同一又はほぼ同一の平面に位置する、請求項１又は２に記載のステープラー。
【請求項４】
前記ハンドル体の背面には開口が形成され、前記スイッチ部の少なくとも一部は、前記開口よりも後方を含む範囲を前後方向に摺動可能である、請求項１〜３のいずれかに記載のステープラー。
【請求項５】
長手方向を有し、その一方の端部が前記摺動体に取り付けられることにより、前記摺動体を後方へと付勢する付勢手段をさらに備える、請求項１〜４のいずれかに記載のステープラー。
【請求項６】
前記摺動体には、前後方向に延在する摺動体切欠き部が形成され、
前記付勢手段は、その一方の端部が前記摺動体切欠き部の前方部分に取り付けられ、且つその他方の端部が前記ハンドル体の天板の内面に取り付けられることにより、前記摺動体切欠き部の内部に配設される、請求項５に記載のステープラー。
【発明の詳細な説明】
【技術分野】
【０００１】
この発明は、ステープラーに関し、特に、被綴じ材を綴じ合わせることができる使用状態と、収納や携帯に有利な収納状態とを切り替え可能な、ステープラーに関する。
【背景技術】
【０００２】
複数枚の用紙等（被綴じ材）を綴じ合わせるためのステープラーが、オフィスや教育現場、家庭内等で広く用いられている。ステープラーは、一般に、長手方向を有し且つ互いの後端部同士が回動可能に接続されたベース体及びハンドル体と、綴り針を収納するための綴り針収納部と、綴り針をベース体の側へと押圧する押刃部とを備える。ステープラーは、外力の加えられていない通常時において、ベース体とハンドル体の前端部同士が互いに離間した状態となる。すなわち、ステープラーは、通常時において、スペースを取ると共に歪な形状であるため、収納や携帯に不便であるという問題があった。このような問題を解決するために、被綴じ材を綴じ合わせることができる使用状態（上記した通常時を含む状態）と、収納や携帯に有利な収納状態とを切り替え可能なステープラーが知られている。このようなステープラーとして、例えば、特許文献１や特許文献２に記載のホッチキスがある。
【０００３】
特許文献１のホッチキスは、携帯したり収納したりするときは、まず蓋体を上方に引き上げると、針切バイトと発条板も蓋体と同動して針函体から上方に離れるが、蓋体を１８０度全開した後、指先で針切バイトを押して発条板を前方向に作動する。かかる状態で、蓋体を下動すると、針切バイトが針函体の正面壁部の前側に位置する。蓋体は針函体を完全に被套してベース体との間で、上下平行状態に保持されるようになる。このような状態において、ホッチキスをポケットや筆入れ等に入れて携帯する。
【０００４】
特許文献２のホッチキスは、携帯したり収納したりするときは、まず蓋体側を上方に引き上げると、その内側の針切バイトと発条板とは蓋体との同動によって針函体から上方に離れるが、この状態のまま摺動レバーを親指で前方に移動する。すると、発条板の針切バイトも針函体の正面壁部より外側の位置に移動する。そこで、蓋体を下すと、針切バイトが針函体の正面壁部の水平突起の前方に降下するから、摺動レバーを再び後方に移動する。すると、針切バイトの上方開口部が針函体正面壁部の水平突起に係合して停止する。そこで、蓋体とベース体とを掌握すれば、蓋体と針函体とベース体の三者は、全体が上下部平行状態になる。このような状態において、ホッチキスをポケットや筆入れ等に入れる。
【先行技術文献】
【特許文献】
【０００５】
【特許文献１】実公平０４−１３１０４号公報
【特許文献２】実開昭６３―９１３８２号公報
【発明の概要】
【発明が解決しようとする課題】
【０００６】
特許文献１及び特許文献２のホッチキスは、上記したように、複数枚の用紙等（被綴じ材）を綴じ合わせることができる使用状態と、収納や携帯に有利な収納状態とを切り替え可能である。しかしながら、特許文献１のホッチキスは、使用状態から収納状態に切り替える際、まず蓋体（本願の「ハンドル体」に相当）を上方に引き上げたうえで、さらに、当該蓋体の内面側から指先で針切バイト（本願の「押刃部」に相当）を押して発条板（本願の「摺動体」に相当）を前方に移動させる必要がある。すなわち、特許文献１のホッチキスは、使用状態と収納状態の切り替え手順が煩雑であるという問題があった。また、特許文献２のホッチキスは、使用状態から収納状態に切り替える際、まず蓋体を上方に引き上げたうえで、この状態のまま摺動レバー（本願の「スイッチ部」に相当）を親指で前方に移動し、そこで蓋体を下したあと、さらに摺動レバーを再び後方に移動する必要がある。すなわち、特許文献２のホッチキスについても、使用状態と収納状態の切り替え手順が煩雑であるという問題があった。さらに、特許文献２のホッチキスは、複数枚の用紙等を綴じ合わせる際に押圧される部分（すなわち、蓋体の前端部分）に、使用状態と収納状態を切り替えるための摺動レバーが配設されるため、誤操作の虞があるという問題があった。
【０００７】
それゆえに、この発明の目的は、被綴じ材を綴じ合わせることができる使用状態と、収納や携帯に有利な収納状態とを容易に切り替えることができ、且つ誤操作を防止することができる、ステープラーを提供することである。
【課題を解決するための手段】
【０００８】
この発明に係るステープラーは、被綴じ材を綴じ合わせることができる使用状態と、収納や携帯に有利な収納状態とを切り替え可能なステープラーであって、長手方向を有するベース体と、長手方向を有し且つその後端部がベース体の後端部に長手方向と厚さ方向の交わる平面において回動可能に取り付けられるハンドル体と、長手方向を有し、その後端部がベース体の後端部に長手方向と厚さ方向の交わる平面において回動可能に取り付けられ、且つ綴り針を収納するための中空部分を含む綴り針収納部と、長手方向を有し、且つハンドル体の内面において前後方向に摺動可能に取り付けられる摺動体と、摺動体の前端部分から突出するように形成され、綴り針収納部に収納された綴り針のうち最前列に位置する針をベース体の側へと押圧するための押刃部と、前後方向に摺動可能であり、その前後方向の摺動に連動させて、摺動体及び押刃部を前後方向に摺動させることにより、押刃部が綴り針収納部の前板よりも後方に位置する使用状態と、押刃部が綴り針収納部の前板よりも前方に位置すると共にベース体とハンドル体が厚さ方向において互いに重なり合う状態を維持される収納状態とを切り替え可能なスイッチ部とを備え、スイッチ部は、被綴じ材を綴じる際に押圧されるハンドル体の押圧部よりも後方に位置するように摺動体に配設されることを特徴とする。
【０００９】
好ましくは、スイッチ部は、ハンドル体の後端部又はその近傍に配設される。
【００１０】
好ましくは、ハンドル体は、その天板の押圧部よりも後方部分が切り欠かれることにより形成された天板切欠き部を含み、スイッチ部は、平面視したとき、その少なくとも一部が天板切欠き部の内部又は近傍に形成され、且つその上面がハンドル体の天板の上面と同一又はほぼ同一の平面に位置する。
【００１１】
好ましくは、ハンドル体の背面には開口が形成され、スイッチ部の少なくとも一部は、開口よりも後方を含む範囲を前後方向に摺動可能である。
【００１２】
好ましくは、長手方向を有し、その一方の端部が摺動体に取り付けられることにより、摺動体を後方へと付勢する付勢手段をさらに備える。
【００１３】
さらに好ましくは、摺動体には、前後方向に延在する摺動体切欠き部が形成され、付勢手段は、その一方の端部が摺動体切欠き部の前方部分に取り付けられ、且つその他方の端部がハンドル体の天板の内面に取り付けられることにより、摺動体切欠き部の内部に配設される。
【発明の効果】
【００１４】
この発明によれば、被綴じ材を綴じ合わせることができる使用状態と、収納や携帯に有利な収納状態とを容易に切り替えることができ、且つ誤操作を防止することができる、ステープラーを提供し得る。
【００１５】
この発明の上述の目的、その他の目的、特徴及び利点は、図面に基づいて行う以下の発明を実施するための形態の説明から一層明らかとなろう。
【図面の簡単な説明】
【００１６】
【図１】この発明の一実施の形態に係るステープラーの使用状態を示す略後方側から見た外観斜視図である。
【図２】この発明の一実施の形態に係るステープラーの使用状態を示す右側面図である。
【図３】この発明の一実施の形態に係るステープラーの収納状態を示す略後方側から見た外観斜視図である。
【図４】この発明の一実施の形態に係るステープラーの収納状態を示す右側面図である。
【図５】この発明の一実施の形態に係るステープラーが備えるベース体にクリンチャ板を取り付けた状態の平面図である。
【図６】この発明の一実施の形態に係るステープラーが備えるベース体にクリンチャ板を取り付けた状態の側面図である。
【図７】この発明の一実施の形態に係るステープラーが備えるベース体にクリンチャ板を取り付けた状態の前後方向に沿った断面図（図５のＶＩＩ−ＶＩＩ断面図）である。
【図８】この発明の一実施の形態に係るステープラーが備える綴り針収納部のプッシャを初期位置とした状態の平面図である。
【図９】この発明の一実施の形態に係るステープラーが備える綴り針収納部のプッシャを後方に摺動させた状態の平面図である。
【図１０】この発明の一実施の形態に係るステープラーが備える綴り針収納部のプッシャを初期位置とした状態の前後方向に沿った断面図（図８のＸ−Ｘ断面図）である。
【図１１】この発明の一実施の形態に係るステープラーが備える綴り針収納部のプッシャを後方に摺動させた状態の前後方向に沿った断面図（図９のＸＩ−ＸＩ断面図）である。
【図１２】この発明の一実施の形態に係るステープラーが備える摺動体に対してバネ部材及びスイッチ部を取り付けた状態の平面図である。
【図１３】この発明の一実施の形態に係るステープラーが備える摺動体に対してバネ部材及びスイッチ部を取り付けた状態の側面図である。
【図１４】この発明の一実施の形態に係るステープラーが備えるハンドル体の底面図である。
【図１５】この発明の一実施の形態に係るステープラーが備えるハンドル体の前後方向に沿った断面図（図１４のＸＶ−ＸＶ断面図）である。
【図１６】この発明の一実施の形態に係るステープラーが備えるベース体、クリンチャ板及び綴り針収納部を組み立てた状態の平面図である。
【図１７】この発明の一実施の形態に係るステープラーが備えるハンドル体、摺動体、バネ部材及びスイッチ部を組み立てた状態の底面図である。
【図１８】この発明の一実施の形態に係るステープラーの使用状態において外力が加えられていない状態の前後方向に沿った断面図である。
【図１９】この発明の一実施の形態に係るステープラーの使用状態において、ハンドル体及びベース体それぞれの押圧部が押圧された状態の前後方向に沿った断面図である。
【図２０】この発明の一実施の形態に係るステープラーの使用状態を収納状態に切り替える過程において、スイッチ部を前方へと摺動させた状態の前後方向に沿った断面図である。
【図２１】この発明の一実施の形態に係るステープラーの収納状態を示す前後方向に沿った断面図である。
【発明を実施するための形態】
【００１７】
（ステープラー１０）
この発明の一実施の形態に係るステープラーについて、図面に基づいて説明する。図１は、この発明の一実施の形態に係るステープラーの使用状態を示す略後方側から見た外観斜視図である。図２は、この発明の一実施の形態に係るステープラーの使用状態を示す右側面図である。図３は、この発明の一実施の形態に係るステープラーの収納状態を示す略後方側から見た外観斜視図である。図４は、この発明の一実施の形態に係るステープラーの収納状態を示す右側面図である。
【００１８】
この発明の一実施の形態に係るステープラー１０は、複数枚の用紙等（以下「被綴じ材」という）を綴じ合わせることができる使用状態（図１及び図２に示す状態）と、収納や携帯に有利な収納状態（図３及び図４に示す状態）とを切り替え可能である。ステープラー１０は、長手方向を有するベース体２０と、長手方向を有し且つその後端部がベース体２０の後端部に長手方向と厚さ方向の交わる平面において回動可能に取り付けられたハンドル体６０と、綴り針Ｓ（図１〜４では図示せず）を収納するための綴り針収納部１００と、ハンドル体６０の内面において前後方向に摺動可能に取り付けられた摺動体１４０（同上）と、摺動体１４０の前端部において略下方へと突出するように形成された押刃部１８０とを備える。
【００１９】
なお、前端部及び後端部とは、長手方向における端部のことである。すなわち、以下の説明において、ベース体２０とハンドル体６０が互いに接続される側を後方とし、それに相対する側を前方とする。また、以下の説明において、厚さ方向とは、ベース体２０とハンドル体６０が重なり合ったとき互いを結ぶ方向のことである。すなわち、当該厚さ方向においてベース体２０の側を下方とし、それに相対する側（ハンドル体６０の側）を上方とする。さらに、以下の説明において、幅方向とは、長手方向と厚さ方向の両方に直交する方向のことである。すなわち、ステープラー１０を正面視したとき（前方から後方に向かって見たとき）、幅方向における一方側を左方とし、それに相対する側を右方とする。
【００２０】
（ベース体２０及びクリンチャ板５０）
ベース体２０及びクリンチャ板５０について、図５〜７に基づいて説明する。図５は、この発明の一実施の形態に係るステープラーが備えるベース体にクリンチャ板を取り付けた状態の平面図である。図６は、この発明の一実施の形態に係るステープラーが備えるベース体にクリンチャ板を取り付けた状態の側面図である。図７は、この発明の一実施の形態に係るステープラーが備えるベース体にクリンチャ板を取り付けた状態の前後方向に沿った断面図（図５のＶＩＩ−ＶＩＩ断面図）である。
【００２１】
（ベース体２０）
ベース体２０は、長手方向を有するベース底板２２と、ベース底板２２の左端部近傍の後端部分から上方へと立ち上がる第１のベース側板３０と、ベース底板２２の右端部近傍の後端部分から上方へと立ち上がる第２のベース側板４０とを含む。ベース底板２２、第１のベース側板３０及び第２のベース側板４０は、例えば、合成樹脂等により一体的に形成される。
【００２２】
ベース底板２２の内面には、２つのベース底板突部２４ａ，２４ｂが突設される。ベース底板突部２４ａ，２４ｂそれぞれは、ベース底板２２の幅方向における中央を前後方向に沿って延びる中心線上に形成される。ベース底板２２には、第１のベース側板３０の幅方向における外側に平面視略四角形状の貫通孔が穿設され、当該貫通孔の幅方向における外側に位置した内面から第１の係合雄部２６が突設される。また、ベース底板２２には、第２のベース側板４０の幅方向における外側に平面視略四角形状の貫通孔が穿設され、当該貫通孔の幅方向における外側に位置した内面から第２の係合雄部２８が突設される。
【００２３】
第１のベース側板３０は、第１のベース側板本体３２と、第１のベース側板本体３２の後端部に形成された側面視略円形状の第１のベース側板後端部３４とを有する。第１のベース側板本体３２と第１のベース側板後端部３４とは、互いの下端部同士が第１のベース側板接続部３８によって一体的に接続される。そして、第１のベース側板本体３２の後端部と第１のベース側板後端部３４の前端部と第１のベース側板接続部３８の上端部とにより、側面視略四角形状の第１のベース側板凹部３９が形成される。また、第１のベース側板本体３２の内面には、その後端部の近傍において凹むように第１のベース側板係合雌部３３が形成される。第１のベース側板係合雌部３３は、図７のような前後方向に沿った断面で見たとき、第１のベース側板本体３２の下端部から上方へと延在する略長方形である。また、ベース側板後端部３４の略中央には、側面視略円形状の第１のベースシャフト孔３６が穿設される。
【００２４】
第２のベース側板４０は、第２のベース側板本体４２と、第２のベース側板本体４２の後端部に形成された側面視略円形状の第２のベース側板後端部４４とを有する。第２のベース側板本体４２と第２のベース側板後端部４４とは、互いの下端部同士が第２のベース側板接続部４８によって一体的に接続される。そして、第２のベース側板本体４２の後端部と第２のベース側板後端部４４の前端部と第２のベース側板接続部４８の上端部とにより、側面視略四角形状の第２のベース側板凹部４９が形成される。また、第２のベース側板本体４２の内面には、その後端部の近傍において凹むように第４のベース側板係合雌部４３が形成される。第２のベース側板係合雌部４３は、図７のような前後方向に沿った断面で見たとき、第２のベース側板本体４２の下端部から上方へと延在する略長方形である。また、ベース側板後端部４４の略中央には、側面視略円形状の第２のベースシャフト孔４６が穿設される。
【００２５】
（クリンチャ板５０）
クリンチャ板５０は、主として、綴り針収納部１００に収納された綴り針Ｓのうち最前列に位置する針（以下、単に「最前列に位置する針」という）を下受けして折り曲げるために、ベース底板２２の上面に取り付けられる。クリンチャ板５０は、その前端部近傍の上面から凹むように形成されたクリンチャ部５２を有する。クリンチャ板５０は、このクリンチャ部５２により針を下受けして折り曲げる。また、クリンチャ板５０には、２つのクリンチャ板貫通孔５４ａ，５４ｂが穿設される。クリンチャ板貫通孔５４ａ，５４ｂそれぞれは、クリンチャ板５０の幅方向における中央を前後方向に沿って延びる中心線上に形成される。クリンチャ板５０は、クリンチャ板貫通孔５４ａにベース底板突部２４ａが嵌合され、且つクリンチャ板貫通孔５４ｂにベース底板突部２４ｂが嵌合されることにより、ベース底板２２の上面に取り付けられる。
【００２６】
（綴り針収納部１００）
綴り針収納部１００について、図８〜１１に基づいて説明する。図８は、この発明の一実施の形態に係るステープラーが備える綴り針収納部のプッシャを初期位置とした状態の平面図である。図９は、この発明の一実施の形態に係るステープラーが備える綴り針収納部のプッシャを後方に摺動させた状態の平面図である。図１０は、この発明の一実施の形態に係るステープラーが備える綴り針収納部のプッシャを初期位置とした状態の前後方向に沿った断面図（図８のＸ−Ｘ断面図）である。図１１は、この発明の一実施の形態に係るステープラーが備える綴り針収納部のプッシャを後方に摺動させた状態の前後方向に沿った断面図（図９のＸＩ−ＸＩ断面図）である。
【００２７】
綴り針収納部１００は、綴り針Ｓを収納するための中空部分を有するマガジン１１０と、マガジン１１０の中空部分に前後方向に沿って摺動可能に取り付けられるプッシャ１３０と、プッシャ１３０を前方へと付勢するプッシャ用バネ部材１３９とを含む。
【００２８】
（マガジン１１０）
マガジン１１０は、長手方向を有するマガジン底板１１２（綴り針収納部１００の底板）と、マガジン底板１１２の前端部から上方へと立ち上がるマガジン前板１１４（綴り針収納部１００の前板）と、マガジン底板１１２の左端部から上方へと立ち上がる第１のマガジン側板１１６（綴り針収納部１００の第１の側板）と、マガジン底板１１２の右端部から上方へと立ち上がる第２のマガジン側板１２２（綴り針収納部１００の第２の側板）とを有する。すなわち、マガジン１１０は、その上面と背面が開放された中空の略直方体形状である。
【００２９】
マガジン底板１１２、マガジン前板１１４、第１のマガジン側板１１６及び第２のマガジン側板１２２のそれぞれは、比較的厚みの薄い平板状に形成される。第１のマガジン側板１１６及び第２のマガジン側板１２２それぞれは、長手方向及び厚さ方向の寸法が、綴り針Ｓのそれよりも大きく形成される。
【００３０】
マガジン底板１１２の上面の前端部近傍には、プッシャ用バネ部材１３９の一方の端部を取り付けるための一方のプッシャ用バネ取付け部１１３が突設される。
【００３１】
第１のマガジン側板１１６の後端部近傍には、側面視略円形状の第１のマガジンシャフト孔１１８が穿設される。また、第１のマガジン側板１１６の外面には、第１のマガジンシャフト孔１１８よりも前方部分に第１のマガジン側板凸部１１９が突設される。第１のマガジン側板凸部１１９は、その先端部分が略鉤状に形成される。また、第１のマガジン側板１１６の外面には、第１のマガジン側板凸部１１９よりも前方部分に略半球状の第１のマガジン側板係合雄部１２０が突設される。さらに、第１のマガジン側板係合雄部１２０よりも前方において、第１のマガジン側板１１６の上端部には、後述する第１の復元バネ１６０を下受けするための復元バネ下受け部１２１が幅方向の外側に向けて突設される。
【００３２】
第２のマガジン側板１２２の後端部近傍には、側面視略円形状の第２のマガジンシャフト孔１２４が穿設される。また、第２のマガジン側板１２２の外面には、第２のマガジンシャフト孔１２４よりも前方部分に第２のマガジン側板凸部１２５が突設される。第２のマガジン側板凸部１２５は、その先端部分が略鉤状に形成される。また、第２のマガジン側板１２２の外面には、第２のマガジン側板凸部１２５よりも前方部分に略半球状の第２のマガジン側板係合雄部１２６が突設される。なお、第２のマガジン側板１２２には、第１のマガジン側板１１６に形成された復元バネ下受け部１２１に相当する構成が形成されない。
【００３３】
（プッシャ１３０）
プッシャ１３０は、その長手方向の寸法がマガジン１１０の中空部分のそれよりも短く、且つその幅方向の寸法がマガジン１１０の中空部分のそれと同じか又はほぼ同じであるように形成される。プッシャ１３０は、略四角形状のプッシャ天板１３２と、プッシャ天板１３２の左端部から垂下する第１のプッシャ側板１３４と、プッシャ天板１３２の右端部から垂下する第２のプッシャ側板１３６とを有する。すなわち、プッシャ１３０は、その底面、前面及び背面が開放された中空の略直方体形状である。プッシャ天板１３２の底面の後端部近傍には、プッシャ用バネ部材１３９の他方の端部を取り付けるための他方のプッシャ用バネ取付け部１３３が突設される。
【００３４】
（プッシャ用バネ部材１３９）
プッシャ用バネ部材１３９は、長手方向を有したコイル状のバネである。プッシャ用バネ部材１３９は、上記したように、その一方の端部がマガジン底板１１２の上面の前端部近傍に突設された一方のプッシャ用バネ取付け部１１３に取り付けられ、その他方の端部がプッシャ天板１３２の底面の後端部近傍に突設された他方のプッシャ用バネ取付け部１３３に取り付けられる。すなわち、プッシャ用バネ部材１３９は、一方のプッシャ用バネ取付け部１１３から後方へと延び、マガジン底板１１２と、プッシャ天板１３２と、第１のプッシャ側板１３４と、第２のプッシャ側板１３６とにより囲まれた中空部分を経て、他方のプッシャ用バネ取付け部１３３まで至る。プッシャ用バネ部材１３９は、上記のように取り付けられることで、マガジン１１０の中空部分において、プッシャ１３０を前方へと付勢する。
【００３５】
（摺動体１４０、押刃部１８０、スイッチ部２００及びバネ部材２１０）
摺動体１４０、押刃部１８０、スイッチ部２００及びバネ部材２１０について、図１２及び図１３に基づいて説明する。図１２は、この発明の一実施の形態に係るステープラーが備える摺動体に対してバネ部材及びスイッチ部を取り付けた状態の平面図である。図１３は、この発明の一実施の形態に係るステープラーが備える摺動体に対してバネ部材及びスイッチ部を取り付けた状態の側面図である。
【００３６】
（摺動体１４０）
摺動体１４０は、長手方向を有し、且つハンドル体６０の内面において前後方向に摺動可能に取り付けられる。摺動体１４０は、例えば、比較的厚さ寸法が小さい金属板等により形成される。摺動体１４０は、その幅方向における中央を前後方向に沿って延在するように穿設された摺動体切欠き部１４２と、その後端部近傍に幅方向に並んで穿設された第１の摺動体貫通孔１４４及び第２の摺動体貫通孔１４６と、その摺動体切欠き部１４２よりも前方部分に穿設された平面視略円形状の一方のバネ取付け部１４８とを含む。
【００３７】
摺動体１４０の左端部には、略下方へと垂れ下がるように、第１の復元バネ１６０が一体的に接続される。具体的には、第１の復元バネ１６０は、前後方向で一方のバネ取付け部１４８と同じか又はほぼ同じ位置において、摺動体１４０の左端部と一体的に接続され、そこから略後方へと延在しながら略下方へと垂れ下がる。第１の復元バネ１６０は、側面視したとき、摺動体１４０の側へと脹れ出るように略円弧状に形成され、その先端部分のみ僅かに略前後方向に延在する。摺動体１４０の左端部には、前後方向において、第１の復元バネ１６０の先端部と、第１の摺動体貫通孔１４４及び第２の摺動体貫通孔１４６との間に第１の摺動規制雌部１５０が形成される。
【００３８】
摺動体１４０の右端部には、略下方へと垂れ下がるように、第２の復元バネ１６２が一体的に接続される。具体的には、第２の復元バネ１６２は、前後方向で第２の摺動体貫通孔１４４と同じか又はほぼ同じ位置において、摺動体１４０の右端部と一体的に接続され、そこから略後方へと延在しながら略下方へと垂れ下がる。第２の復元バネ１６２は、側面視したとき、摺動体１４０の側へと脹れ出るように略円弧状に形成され、その先端部分のみ僅かに略前後方向に延在する。なお、第２の復元バネ１６２の前後方向の寸法は、第１の復元バネ１６０のそれよりも長い。すなわち、第２の復元バネ１６２の先端部分は、第１の復元バネ１６０のそれよりも後方に位置する。摺動体１４０の右端部には、前後方向において、第２の復元バネ１６２の先端部と第１の摺動体貫通孔１４４及び第２の摺動体貫通孔１４６との間に、第２の摺動規制雌部１５２が形成される。
【００３９】
（押刃部１８０）
押刃部１８０は、最前列に位置する針をクリンチャ部５２へと押圧するために配設される。押刃部１８０は、例えば、比較的厚さ寸法が小さい金属板等により形成される。押刃部１８０は、摺動体１４０の前端部から略下方へと突出するように、摺動体１４０の前端部と一体的に形成される。押場部１８０は、正面視略四角形状である。
【００４０】
（スイッチ部２００）
スイッチ部２００について、スイッチ部２００は、略平板状のスイッチ天板２０２と、スイッチ天板２０２の底面の後端部に沿って延在するように突設される幅方向延在突部２０４と、スイッチ天板２０２の底面の前端部分に沿うように並んで突設された底面視略円形状の第１のスイッチ突部２０６及び第２のスイッチ突部２０８とを有する。スイッチ部２００は、第１のスイッチ突部２０６が第１の摺動体貫通孔１４４に嵌合され、且つ第２のスイッチ突部２０８が第２の摺動体貫通孔１４６に嵌合されることにより、摺動体１４０の上面の後端部分に取り付けられる。スイッチ部２００の幅方向の寸法（すなわち、スイッチ天板２０２の幅方向の寸法）は、ハンドル体６０に形成された後述する天板切欠き部６４のそれよりも僅かに小さい。
【００４１】
（バネ部材２１０）
バネ部材２１０（付勢手段）は、長手方向を有したコイル状のバネである。バネ部材２１０は、その一方の端部が摺動体１４０に穿設された一方のバネ取付け部１４８に取り付けられ、その他方の端部が後述するハンドル天板６２の内面から突設された他方のバネ取付け部６６に取り付けられる。後述するようにステープラー１０を組み立てると、一方のバネ取付け部１４８が他方のバネ取付け部６６よりも前方に位置するようになる。したがって、バネ部材２１０は、摺動体１４０を後方へと付勢するように作用する。
【００４２】
（ハンドル体６０）
ハンドル体６０について、図１４及び図１５に基づいて説明する。図１４は、この発明の一実施の形態に係るステープラーが備えるハンドル体の底面図である。図１５は、この発明の一実施の形態に係るステープラーが備えるハンドル体の前後方向に沿った断面図（図１４のＸＶ−ＸＶ断面図）である。ハンドル体６０は、長手方向を有し、略平板状に形成されたハンドル天板６２と、ハンドル天板６２の前端部から垂下されるハンドル前板７０と、ハンドル天板６２の左端部から垂下される第１のハンドル側板８０と、ハンドル天板６２の右端部から垂下される第２のハンドル側板９０とを含む。すなわち、ハンドル体６０は、背面が開放された（すなわち、背面に開口を有する）中空の略直方体形状である。ハンドル天板６２、ハンドル前板７０、第１のハンドル側板８０及び第２のハンドル側板９０は、例えば、合成樹脂等により一体的に形成される。
【００４３】
ハンドル天板６２は、その後端部を切り欠かれることにより形成された平面視略四角形状の天板切欠き部６４と、上記したバネ部材２１０の他方の端部を取り付けるためにその内面から突設された他方のバネ取付け部６６とを有する。天板切欠き部６４は、ハンドル天板６２の後端部まで切り欠かれ、背面の開口と連なるように形成される。
【００４４】
第１のハンドル側板８０の内面の後端部には、第１のハンドルシャフト凹部８２が形成される。また、第１のハンドル側板８０の内面の上端部近傍には、摺動体１４０の左端部分を差し込んで取り付けるための第１の摺動体取付け部８４が突設される。摺動体１４０を取り付けるための第１の摺動体取付け部８４が突設される。そして、第１のハンドル側板８０の内面には、第１のハンドルシャフト凹部８２よりも前方部分の下端部近傍において凹むように、第１の係合雌部８６が形成される。さらに、第１のハンドル側板８０の内面には、前後方向において第１のハンドルシャフト凹部８２と第１の係合雌部８６の間に位置するように、第１の摺動規制雄部８８が突設される。第１の摺動規制雄部８８は、上下方向に延在するように形成され、その先端部分は略鉤状に形成される。
【００４５】
第２のハンドル側板９０の内面の後端部には、第２のハンドルシャフト凹部９２が形成される。また、第２のハンドル側板９０の内面の上端部近傍には、摺動体１４０の右端部分を差し込んで取り付けるための第２の摺動体取付け部９４が突設される。そして、第２のハンドル側板９０の内面には、第２のハンドルシャフト凹部９２よりも前方部分の下端部近傍において凹むように、第２の係合雌部９６が形成される。さらに、第２のハンドル側板９０の内面には、前後方向において第２のハンドルシャフト凹部９２と第２の係合雌部９６の間に位置するように、第２の摺動規制雄部９８が突設される。第２の摺動規制雄部９８は、上下方向に延在するように形成され、その先端部分は略鉤状に形成される。
【００４６】
（各部材の組み立て）
各部材の組み立て手順の一例について、図１６及び図１７に基づいて説明する。図１６は、この発明の一実施の形態に係るステープラーが備えるベース体、クリンチャ板及び綴り針収納部を組み立てた状態の平面図である。図１７は、この発明の一実施の形態に係るステープラーが備えるハンドル体、摺動体、バネ部材及びスイッチ部を組み立てた状態の底面図である。
【００４７】
まず、ベース体２０にクリンチャ板５０を取り付ける。具体的には、ベース底板２２の上面に突設されたベース底板突部２４ａがクリンチャ板貫通孔５４ａに嵌合され、且つベース底板２２の上面に突設されたベース底板突部２４ｂがクリンチャ板貫通孔５４ｂに嵌合されることにより、ベース体２０にクリンチャ板５０を取り付ける。
【００４８】
次に、マガジン１１０と、プッシャ１３０と、プッシャ用バネ部材１３９を組み立てることにより、綴り針収納部１００を得る。具体的には、マガジン底板１１２の内面に突設された一方のプッシャ用バネ取付け部１１３にプッシャ用バネ部材１３９の一方の端部を取り付け、且つプッシャ天板１３２の内面に突設された他方のプッシャ用バネ取付け部１３３にプッシャ用バネ部材１３９の他方の端部を取り付け、且つプッシャ１３０をマガジン１１０の中空部分に収納することにより、綴り針収納部１００を得る。
【００４９】
そして、クリンチャ板５０が取り付けられベース体２０に対して、綴り針収納部１００を取り付ける。具体的には、まず、第１のベースシャフト孔３６及び第２のベースシャフト孔４６と、第１のマガジンシャフト孔１１８及び第２のマガジンシャフト孔１２４とが幅方向において連なるように、第１のベース側板３０と第２のベース側板４０の間に綴り針収納部１００を配置する。このとき、綴り針収納部１００は、その第１のマガジン側板係合雄部１２０が第１のベース側板係合雌部３３に係合し、且つその第２のマガジン側板係合雄部１２６が第１のベース側板係合雌部４３に係合する。そして、シャフト部材２２０が、第１のベースシャフト孔３６、第１のマガジンシャフト孔１１８、第２のマガジンシャフト孔１２４、及び第２のベースシャフト孔４６へと順に通されることにより、クリンチャ板５０が取り付けられたベース体２０に対して、綴り針収納部１００を取り付ける。
【００５０】
さらに、摺動体１４０に対して、バネ部材２１０及びスイッチ部２００を取り付ける。具体的には、摺動体１４０に穿設された一方のバネ取付け部１４８にバネ部材２１０の一方の端部を取り付けることにより、摺動体１４０にバネ部材２１０を取り付ける。また、摺動体１４０に穿設された第１の摺動体貫通孔１４４に第１のスイッチ突部２０６を嵌合し、且つ摺動体１４０に穿設された第２の摺動体貫通孔１４６に第２のスイッチ突部２０８を嵌合することにより、摺動体１４０の上面の後端部にスイッチ部２００を取り付ける。
【００５１】
次に、ハンドル体６０の内面（ハンドル天板６２の内面）に対して、バネ部材２１０及びスイッチ部２００が取り付けられた摺動体１４０を取り付ける。具体的には、まず、ハンドル体６０の内面に形成された第１の摺動体取付け部８４にその後方側から摺動体１４０の左端部の前方部分を差し込み、これと同時に、ハンドル体６０の内面に形成された第２の摺動体取付け部９４にその後方側から摺動体１４０の右端部の前方部分を差し込む。次に、第１のハンドル体側板８０に形成された第１の摺動規制雄部８８が摺動体１４０の左端部に形成された第１の摺動規制雌部１５０の内部に位置するように、且つ第２のハンドル体側板８０に形成された第２の摺動規制雄部９８が摺動体１４０の右端部に形成された第２の摺動規制雌部１５２の内部に位置するように、ハンドル天板６２の内面に摺動体１４０を載置する。そして、バネ部材２１０の他方の端部をハンドル体６０に突設された他方のバネ取付け部６６に取り付ける。このようにして、ハンドル体６０の内面に対して、バネ部材２１０及びスイッチ部２００が取り付けられた摺動体１４０を取り付ける。このようにハンドル体６０の内面に取り付けられた摺動体１４０は、バネ部材２１０によって後方へと付勢された状態になる。また、摺動体１４０は、その第１の摺動規制雌部１５０がハンドル体６０に形成された第１の摺動規制雄部８８を底面視において嵌合するように、且つその第２の摺動規制雌部１５２がハンドル体６０に形成された第２の摺動規制雄部９８を底面視において嵌合するように、ハンドル体６０に対して取り付けられる。摺動体１４０は、このような構造により、前後方向への摺動を規制される。
【００５２】
最後に、クリンチャ板５０及び綴り針収納部１００が取り付けられたベース体２０に対して、バネ部材２１０、スイッチ部２００及び摺動体１４０が取り付けられたハンドル体６０を取り付ける。具体的には、第１のベースシャフト孔３６から突き出たシャフト部材２２０の左端部を第１のハンドルシャフト凹部８２に嵌合し、且つ第２のベースシャフト孔４６から突き出たシャフト部材２２０の右端部を第２のハンドルシャフト凹部９２に嵌合する。これにより、ハンドル体６０及び綴り針収納部１００は、長手方向と厚さ方向の交わる平面において、シャフト部材２００を中心としてベース体２０に対して回転可能である。
【００５３】
この発明の一実施の形態に係るステープラー１０は、上記のようにして各部材を組み立てることにより得ることができる。
【００５４】
スイッチ部２００は、平面視したとき、その少なくとも一部がハンドル体６０の天板切欠き部６４の内部に形成され、且つその上面がハンドル天板６２の上面と同一又はほぼ同一の平面に位置する。スイッチ部２００の前端部及び後端部は、ステープラー１０の幅方向に沿って延在し、平面視したとき、ハンドル体６０の天板切欠き部６４の前端部と平行又はほぼ平行である。スイッチ部２００の左端部及び右端部は、ステープラー１０の長手方向に沿って延在し、平面視したとき、ハンドル体６０の天板切欠き部６４の左端部及び右端部と平行又はほぼ平行である。スイッチ部２００は、使用状態において、その前端部が天板切欠き部６４の前端部とステープラー１０の長手方向において所定の距離だけ離間して相対し、且つその後端部が第１のハンドル側板８０及び第２のハンドル側板９０の後端部よりも後方に位置する。スイッチ部２００は、収納状態において、その前端部が天板切欠き部６４の前端部に当接又はほぼ当接し、且つその後端部が第１のハンドル側板８０及び第２のハンドル側板９０の後端部と前後方向においてほぼ同じ位置となる。すなわち、スイッチ部２００の少なくとも一部は、ハンドル体６０の背面に形成された開口よりも後方を含む範囲を前後方向に摺動可能である。
【００５５】
（使用状態と収納状態、及びこれらの切り替え手順）
被綴じ材を綴じ合わせることができる使用状態、収納や携帯に有利な収納状態、及び使用状態と収納状態の切り替え手順について、図１８〜２１に基づいて具体的に説明する。図１８は、この発明の一実施の形態に係るステープラーの使用状態において外力が加えられていない状態の前後方向に沿った断面図である。図１９は、この発明の一実施の形態に係るステープラーの使用状態において、ハンドル体及びベース体それぞれの押圧部が押圧された状態の前後方向に沿った断面図である。図２０は、この発明の一実施の形態に係るステープラーの使用状態を収納状態に切り替える過程において、スイッチ部を前方へと摺動させた状態の前後方向に沿った断面図である。図２１は、この発明の一実施の形態に係るステープラーの収納状態を示す前後方向に沿った断面図である。
【００５６】
（使用状態）
まず、使用状態で外力が加えられていない場合について、図１８に基づいて説明する。この場合において、押刃部１８０は、マガジン前板１１４（綴り針収納部１００の前板）よりも後方に位置し、且つその先端部が最前列に位置する針に略上下方向において離間して相対する。なお、摺動体１４０に形成された第１の復元バネ１６０の先端部分が、第１のマガジン側板１１６に形成された復元バネ下受け部１２１に下受けされて略上方へと復元されることにより、押刃部１８０の先端部分は、最前列に位置する針に離間して相対することになる。
【００５７】
次に、使用状態で、被綴じ材を綴じ合わせるために、ハンドル体６０及びベース体２０それぞれの押圧部を押圧した場合について、図１８及び図１９に基づいて説明する。なお、ここでいうハンドル体６０の押圧部とは、例えば、右手親指により押圧される上面の前方部分（図１９に矢印で示した外力が加えられる部分）であり、前後方向において押刃部１８０又はその近傍に位置する部分である。また、ベース体２０の押圧部とは、例えば、右手人差し指により押圧される底面の前方部分であり、前後方向において押刃部１８０又はその近傍に位置する部分である。
【００５８】
ハンドル体６０の押圧部を略下方（すなわち、ハンドル体６０から見てベース体２０の側）へと押圧していくと、まず、ハンドル体６０が長手方向と厚さ方向の交わる平面において回転することに連動し、マガジン底板１１２（綴り針収納部１００の底板）がベース底板２２に当接する。そこから、摺動体１４０に形成された第１の復元バネ１６０及び第２の復元バネ１６２の略上方への復元力に抗って押圧を続けると、押刃部１８０は、マガジン前板１１４（綴り針収納部１００の前板）の背面に沿うようにマガジン１１０の中空部分（綴り針収納部１００の中空部分）に挿入されていく。このとき、押刃部１８０は、最前列に位置する針を上方から押圧することで、当該針と他の綴り針Ｓの綴られた状態を解く。これにより、当該針は、マガジン底板１１２の前端部に形成された貫通孔を通り抜ける。さらに、押圧刃１８０は、当該針を上下方向においてクリンチャ部５２と挟み込むことにより折り曲げる。このようにして、ステーパー１０は、被綴じ材を綴じ合わせることができる。
【００５９】
なお、図１９の状態（ベース体２０とハンドル体６０が厚さ方向において重なり合った状態）のステープラー１０は、ハンドル体６０及びベース体２０それぞれの押圧部に加えられた外力が取り除かれると（例えば、ハンドル体６０から右手親指を離し、且つベース体２０から右手人差し指を離すと）、摺動体１４０に形成された第１の復元バネ１６０及び第２の復元バネ１６２それぞれの略上方への復元力により、図１８の状態（上記した外力が加えられていない状態）へと容易に戻され得る。具体的には、図１９の状態において、略円弧状に形成された第１の復元バネ１６０は、その先端部が第１のマガジン側板１１６に形成された復元バネ下受け部１２１に当接し、略上下方向において縮むように撓んでいる。したがって、第１の復元バネ１６０が、もとの略円弧状に戻ろうとするため、上記略上方への復元力を得る。同様に、略円弧状に形成された第２の復元バネ１６２は、その先端部が第２のマガジン側板１２２の上端面の前方部分に当接し、略上下方向において縮むように撓んでいる。したがって、第２の復元バネ１６２が、もとの略円弧状に戻ろうとするため、上記略上方への復元力を得る。
【００６０】
なお、綴り針収納部１００は、第１のマガジン側板係合雄部１２０が第１のベース側板係合雌部３３に係合し、且つ第２のマガジン側板係合雄部１２６が第２のベース側板係合雌部４３に係合する。これにより、綴り針収納部１００は、長手方向と厚さ方向が交わる平面において、ベース体２０に対して回転することを規制される。また、第１のマガジン側板凸部１１９は、使用状態において、その略鉤状にされた先端部分がハンドル体６０に突設された第１の摺動規制雄部８８の略鉤状にされた先端部分と互いに係合する。さらに、第２のマガジン側板凸部１２５は、使用状態において、その略鉤状にされた先端部分がハンドル体６０に突設された第２の摺動規制雄部９８の略鉤状にされた先端部分と互いに係合する。これにより、ハンドル体６０は、長手方向と厚さ方向が交わる平面において、綴り針収納部１００に対して回転することを規制される。
【００６１】
（使用状態から収納状態への切り替え手順）
使用状態から収納状態への切り替え手順の一例について、図２０及び図２１に基づいて説明する。まず、図２０において矢印で示すような外力を加えることにより、ハンドル体６０の後端部分に配設されたスイッチ部２００を天板切欠き部６４内において前方へと摺動させる。すると、当該スイッチ部２００の摺動に連動して、ハンドル体６０の内面に配設された摺動体１４０及びその前端部に一体的に形成された押刃部１８０が前方へと摺動する。次に、ハンドル体６０の押圧部及びベース体２０の押圧部を互いに近づく方向へと押圧することにより、ハンドル体６０を長手方向と厚さ方向の交わる平面において回転させ、ベース体２０とハンドル体６０を厚さ方向に重なり合った状態とする。なお、押刃部１８０は、上記したように予め前方へと摺動しているため、マガジン前板１１４の前面に沿って略下方へと移動し、その先端部がベース底板２２（及びクリンチャ板５０）まで又はその近傍まで至る。このときの状態が収納状態（図２１に示す状態）である。
【００６２】
（収納状態）
収納状態について、図２１に基づいて説明する。押刃部１８０、摺動体１４０及びスイッチ部２００は、収納状態において、ハンドル天板６２の内面に沿って取り付けられたバネ部材２１０により後方へと付勢されている。しかしながら、押刃部１８０の背面がマガジン前板１１４と当接しているため、押刃部１８０、摺動体１４０及びスイッチ部２００は、マガジン前板１１４により後方への移動を妨げられ、停止した状態である。
【００６３】
さらに、収納状態において、ベース底板２２に形成された第１の係合雄部２６が第１のハンドル側板８０に形成された第１の係合雌部８６に係合し、且つベース底板２２に形成された第２の係合雄部２８が第２のハンドル側板９０に形成された第２の係合雌部９６に係合している。これにより、ハンドル体６０が長手方向と厚さ方向の交わる平面で回転することを停止させられるため、ハンドル体６０は、厚さ方向においてベース体２０と重なり合った状態を維持される。また、綴り針収納部１００についても、その第１のマガジン側板係合雄部１２０が第１のベース側板係合雌部３３に係合し、且つその第２のマガジン側板係合雄部１２６が第１のベース側板係合雌部４３に係合している。これにより、綴り針収納部１００が長手方向と厚さ方向の交わる平面で回転することを停止させられるため、綴り針収納部１００は、厚さ方向においてベース体２０と重なり合った状態を維持される。なお、第１のベース側板凹部３９は、収納状態の側面視において、第１のマガジン側板凸部１１９に嵌合されたような状態になる。さらに、第１のマガジン側板凸部１１９は、収納状態において、その略鉤状にされた先端部分がハンドル体６０に突設された第１の摺動規制雄部８８の略鉤状にされた先端部分と互いに係合する。同様に、第２のベース側板凹部４９は、収納状態の側面視において、第２のマガジン側板凸部１２５に嵌合されたような状態になる。さらに、第２のマガジン側板凸部１２５は、収納状態において、その略鉤状にされた先端部分がハンドル体６０に突設された第２の摺動規制雄部９８の略鉤状にされた先端部分と互いに係合する。
【００６４】
（収納状態から使用状態への切り替え手順）
収納状態から使用状態への切り替えは、例えば、ハンドル体６０を幅方向において挟むように把持し、略上方へと持ち上げる。すると、ハンドル体６０は、その後端部を回転軸として、長手方向と厚さ方向の交わる平面でベース体２０に対して回転する。このとき、ハンドル体６０の当該回転動作に連動して、ハンドル体６０の内面に配設された摺動体１４０及び押刃部１８０も同様の方向へと回転する。押刃部１８０は、当該回転動作により、その背面で当接していたマガジン前板１１４から離間する。これにより、押刃部１８０、摺動体１４０及びスイッチ部２００は、バネ部材２１０の付勢により後方へと移動する。したがって、この実施の形態に係るステープラー１０は、ハンドル体６０を略上方へと持ち上げるのみで、収納状態から使用状態へと切り替えることができる。
【００６５】
（効果）
この発明の一実施の形態に係るステープラー１０は、前後方向に摺動可能であり、その前後方向の摺動に連動させて、摺動体１４０及び押刃部１８０を前後方向に摺動させることにより、押刃部１８０が後方に位置した使用状態と、押刃部１８０が前方に位置した収納状態とを切り替え可能なスイッチ部２００を備える。したがって、ステープラー１０は、使用状態と収納状態を容易に切り替えることができる。さらに、この発明の一実施の形態に係るステープラー１０は、当該スイッチ部２００が、被綴じ材を綴じる際に押圧されるハンドル体６０の押圧部よりも後方に位置するように摺動体１４０に配設される。したがって、スイッチ部２００を前後方向に摺動させる際に誤って当該押圧部を押圧する等の誤操作を防止することができる。上記した通りであるため、この発明の一実施の形態に係るステープラー１０は、被綴じ材を綴じ合わせることができる使用状態と、収納や携帯に有利な収納状態とを容易に切り替えることができ、且つ誤操作を防止することができる。
【００６６】
また、この発明の一実施の形態に係るステープラー１０は、そのスイッチ部２００が、ハンドル体２０の後端部又はその近傍に配設される。ステープラー１０は、このような構造を有することにより、上記した誤操作をより防止することが可能となる。
【００６７】
さらに、この発明の一実施の形態に係るステープラー１０は、ハンドル天板６２の押圧部よりも後方部分が切り欠かれることにより形成された天板切欠き部６４を含み、スイッチ部２００は、平面視したとき、その少なくとも一部が当該天板切欠き部６４の内部又は近傍に形成され、且つその上面がハンドル天板６２の上面と同一又はほぼ同一の平面に位置する。この発明の一実施の形態に係るステープラー１０は、このような構造を有することにより、収納や携帯により有利な収納状態となり得る。
【００６８】
そして、この発明の一実施の形態において、ハンドル体６０の背面には開口が形成され、スイッチ部２００の少なくとも一部は、当該開口よりも後方を含む範囲を前後方向に摺動可能である。ステープラー１０は、このような構造を有することにより、製造が容易となり、且つ上記した誤操作をより防止することが可能となる。
【００６９】
また、この発明の一実施の形態に係るステープラー１０は、長手方向を有し、その一方の端部が摺動体１４０に取り付けられることにより、摺動体１４０を後方へと付勢するバネ部材２１０（付勢手段）をさらに備える。ステープラー１０は、このようなバネ部材２１０を備えることにより、ハンドル体６０の前端部またはその近傍を把持して略上方へと持ち上げるのみで、自動的に収納状態から使用状態へと切り替えることができる。
【００７０】
さらに、この発明の一実施の形態において、バネ部材２１０は、その一方の端部が摺動体切欠き部１４２の前方部分に取り付けられ、且つその他方の端部がハンドル天板６２の内面に取り付けられることにより、摺動体切欠き部１４２の内部に配設される。ステープラー１０は、このような構造を有することにより、更にコンパクトに形成することが可能となるため、収納や携帯により有利な収納状態となり得る。
【００７１】
（変形例）
なお、上記した実施の形態では、ハンドル天板６２の後端部まで至るように天板切欠き部６４が形成され、スイッチ部２００の主たる部分が当該天板切欠き部６４の内部に配設される場合（すなわち、スイッチ部２００がハンドル体６０の後端部に形成される場合）について説明した。しかしながら、この場合に限定されず、スイッチ部２００は、被綴じ材を綴じる際に押圧されるハンドル体６０の押圧部よりも後方に位置するように摺動体１４０に配設されればよい。すなわち、スイッチ部２００は、例えば、ハンドル天板６２に形成される天板切欠き部６４の位置を前後方向において適宜変更することにより、ハンドル体６０の押圧部よりも後方の何れの位置にも配設することが可能となる。
【００７２】
また、上記した実施の形態では、スイッチ部２００は、ハンドル天板６２に形成される場合について説明したが、この場合に限定されない。すなわち、スイッチ部２００は、ハンドル体６０の押圧部よりも後方に位置するように、第１のハンドル側板８０及び第２のハンドル側板９０に形成されてもよい。このとき、スイッチ部２００は、第１のハンドル側板８０及び第２のハンドル側板９０の両方に形成されてもよいし、いずれか一方のみに形成されてもよい。
【００７３】
なお、上記した実施の形態では、付勢手段としてコイル状のバネ部材２１０を配設する場合について説明したが、例えば、長手方向を有する樹脂性のゴム部材等、他の付勢手段を配設してもよい。
【００７４】
なお、上記した実施の形態では、ハンドル天板６２の内面に沿ってバネ部材２１０を取り付ける場合について説明したが、この場合に限定されない。すなわち、ステープラー１０は、バネ部材２１０を備えなくてもよい。この場合、ステープラー１０は、スイッチ部２００を手動で後方へと摺動させることにより、収納状態から使用状態に切り替える。ステープラー１０は、このような構成とすることにより、部品点数が少なくなるため、製造が容易となる。
【００７５】
なお、上記した実施の形態では、摺動体１４０とスイッチ部２００が別部材である場合について説明したが、この場合に限定されない。すなわち、摺動体１４０とスイッチ部２００は一体的に形成されてもよい。
【００７６】
なお、上記した実施の形態では、押刃部１８０と摺動体１４０が一体的に形成される場合について説明したが、この場合に限定されない。すなわち、押刃部１８０と摺動体１４０は別々に形成され、互いに固着又は取り付けられてもよい。
【００７７】
（好ましい寸法等）
ステープラー１０は、特に、収納状態において収納や携帯を有利に行うことができるように、比較的コンパクトに形成されることが好ましい。ステープラー１０は、例えば、右手人差し指と同親指により長手方向において余裕をもって挟持できる程度の寸法であることが好ましい。ステープラー１０は、このような寸法を有することにより、上記した通り収納や携帯を有利に行うことができると共に、例えば、スイッチ部２００の後端部に右手親指で触れ、且つハンドル体６０の前端部に同人差し指で触れることができるため、使用状態から収納状態への切り替えを片手で容易に行うことが可能となる。
【符号の説明】
【００７８】
１０  ステープラー
２０  ベース体
２２  ベース底板
２４ａ，２４ｂ  ベース底板突部
２６  第１の係合雄部
２８  第２の係合雄部
３０  第１のベース側板
３２  第１のベース側板本体
３３  第１のベース側板係合雌部
３４  第１のベース側板後端部
３６  第１のベースシャフト孔
３８  第１のベース側板接続部
３９  第１のベース側板凹部
４０  第２のベース側板
４２  第２のベース側板本体
４３  第２のベース側板係合雌部
４４  第２のベース側板後端部
４６  第２のベースシャフト孔
４８  第２のベース側板接続部
４９  第２のベース側板凹部
５０  クリンチャ板
５２  クリンチャ部
５４ａ，５４ｂ  クリンチャ板貫通孔
６０  ハンドル体
６２  ハンドル天板
６４  天板切欠き部
６６  他方のバネ取付け部
７０  ハンドル前板
８０  第１のハンドル側板
８２  第１のハンドルシャフト凹部
８４  第１の摺動体取付け部
８６  第１の係合雌部
８８  第１の摺動規制雄部
９０  第２のハンドル側板
９２  第２のハンドルシャフト凹部
９４  第２の摺動体取付け部
９６  第２の係合雌部
９８  第２の摺動規制雄部
１００  綴り針収納部
１１０  マガジン
１１２  マガジン底板
１１３  一方のプッシャ用バネ取付け部
１１４  マガジン前板
１１６  第１のマガジン側板
１１８  第１のマガジンシャフト孔
１１９  第１のマガジン側板凸部
１２０  第１のマガジン側板係合雄部
１２１  復元バネ下受け部
１２２  第２のマガジン側板
１２４  第２のマガジンシャフト孔
１２５  第２のマガジン側板凸部
１２６  第２のマガジン側板係合雄部
１３０  プッシャ
１３２  プッシャ天板
１３３  他方のプッシャ用バネ取付け部
１３４  第１のプッシャ側板
１３６  第２のプッシャ側板
１３９  プッシャ用バネ部材
１４０  摺動体
１４２  摺動体切欠き部
１４４  第１の摺動体貫通孔
１４６  第２の摺動体貫通孔
１４８  一方のバネ取付け部
１５０  第１の摺動規制雌部
１５２  第２の摺動規制雌部
１６０  第１の復元バネ
１６２  第２の復元バネ
１８０  押刃部
２００  スイッチ部
２０２  スイッチ天板
２０４  幅方向延在突部
２０６  第１のスイッチ突部
２０８  第２のスイッチ突部
２１０  バネ部材
２２０  シャフト部材
Ｓ  綴り針
【図１】
2018001286.tif 000003
【図２】
2018001286.tif 000004
【図３】
2018001286.tif 000005
【図４】
2018001286.tif 000006
【図５】
2018001286.tif 000007
【図６】
2018001286.tif 000008
【図７】
2018001286.tif 000009
【図８】
2018001286.tif 000010
【図９】
2018001286.tif 000011
【図１０】
2018001286.tif 000012
【図１１】
2018001286.tif 000013
【図１２】
2018001286.tif 000014
【図１３】
2018001286.tif 000015
【図１４】
2018001286.tif 000016
【図１５】
2018001286.tif 000017
【図１６】
2018001286.tif 000018
【図１７】
2018001286.tif 000019
【図１８】
2018001286.tif 000020
【図１９】
2018001286.tif 000021
【図２０】
2018001286.tif 000022
【図２１】
2018001286.tif 000023